(57)【要約】  【課題】  残渣を捕集することができ、捕集されたその残渣を簡単に作業性良く回収することができるグリーストラップ用残渣捕集装置を提供する。  【解決手段】  厨房施設からの廃水が流入される流入口１２ａと、下水施設へ廃水を流出する流出口１２ｂとを有し残渣、油脂等を捕集するグリーストラップ１０に取り付けられるグリーストラップ用残渣捕集装置３０であって、グリーストラップ１０の流入口１２ａ近傍に固定された固定ブラケット３２と、固定ブラケット３２に対して上下方向に摺動可能且つ着脱可能に係合した可動ブラケット３４と、を有し、可動ブラケット３４には流入口１２ａと連通可能となったパイプ部３４ｂが設けられ、パイプ部３４ｂの端部周面に捕集ネット３８を着脱可能に装着可能とし、可動ブラケット３４は、固定ブラケット３２に対する上方への摺動により固定ブラケット３２から離脱可能とする。【選択図】  図１
2007040030.tif 000002
【特許請求の範囲】
【請求項１】
厨房施設からの廃水が流入される流入口を有し、該廃水から残渣、油脂等を捕集するグリーストラップに取り付けられるグリーストラップ用残渣捕集装置において、
グリーストラップの流入口近傍に固定される固定ブラケットと、固定ブラケットに対して上下方向に摺動可能且つ着脱可能に係合する可動ブラケットと、を有し、可動ブラケットには前記流入口と連通可能となったパイプ部が設けられ、該パイプ部の端部周面に捕集ネットを着脱可能に装着可能とし、可動ブラケットは、固定ブラケットに対する上方への摺動により固定ブラケットから離脱可能とすることを特徴とするグリーストラップ用残渣捕集装置。
【請求項２】
前記可動ブラケットが固定ブラケットに対して最大に下方まで摺動した位置において、前記パイプ部が流入口と連通することを特徴とする請求項１記載のグリーストラップ用残渣捕集装置。
【請求項３】
前記可動ブラケットには、上方への力を作用可能な取手が設けられることを特徴とする請求項１または２記載のグリーストラップ用残渣捕集装置。
【請求項４】
厨房施設からの廃水が流入される流入口を有し、該廃水から残渣、油脂等を捕集するグリーストラップにおいて、
グリーストラップの流入口近傍に固定されるスライド受部と、該スライド受部に対して上下方向に摺動可能且つ着脱可能に係合する可動ブラケットと、が設けられ、可動ブラケットには前記流入口と連通可能となったパイプ部が設けられ、該パイプ部の端部周面に捕集ネットを着脱可能に装着可能とし、可動ブラケットは、固定ブラケットに対する上方への摺動により固定ブラケットから離脱可能とすることを特徴とするグリーストラップ。
【発明の詳細な説明】
【技術分野】
【０００１】
本発明は、グリーストラップにおいて廃水に混入して流れる残渣を捕集するグリーストラップ用残渣捕集装置に関する。
【背景技術】
【０００２】
飲食店や社員食堂などの特に業務用の厨房施設から流出する廃水は、グリーストラップを介して公共の下水施設に排出されることになっている。グリーストラップ５０は、図５に示したように、一般的に流入残渣捕集槽５２と、油脂捕集槽５４と、排水槽５６とに区画されており、流入残渣捕集槽５２には、厨房施設に繋がる流入管５８からの廃水に混入して流れてきた生ゴミ等の残渣を捕集するための捕集カゴ６０が設けられている。捕集カゴ６０は、ステンレス製等のパンチングメタルまたはメッシュによって構成されており、この捕集カゴ６０によって捕集された残渣は、捕集カゴ６０に設けられた取手を持って流入残渣捕集槽５２から捕集カゴ６０を引き上げて、回収されて処分される。洗浄後の捕集カゴ６０は、再び流入残渣捕集槽５２へと設置される。
【０００３】
しかしながら、このような捕集カゴ６０では、流入残渣捕集槽５２から引き上げるのに労力がかかり、捕集カゴ６０の再設置も面倒である、という問題がある。また、捕集カゴは、残渣を回収した後でも、ヌメリや生ゴミの小片などが付着して目詰まりを生じやすく、丹念に洗浄する必要があり、煩雑な作業が要求される、という問題がある。
【０００４】
上記問題点を解決するためのものとして、例えば、特許文献１、２及び３における残渣の回収装置が提案されており、かかる回収装置では、グリーストラップにおける流入管の先端に、残渣類収集ネットを装着しており、このネットを交換可能としている。
【０００５】
【特許文献１】特開２００２−１６１５７７号公報
【特許文献２】特開２００３−２３２０７４号公報
【特許文献３】登録実用新案第３０６３８０７号公報
【発明の開示】
【発明が解決しようとする課題】
【０００６】
しかしながら、上記特許文献に記載の回収装置でも、残渣類収集ネットの交換作業は大変である、という問題がある。グリーストラップは、地面よりも低い位置に設置されているので、屈み込んだ状態で、残渣類収集ネットを流入管に付け替えなければならず、また、取り外した残渣類収集ネットは、収集した残渣をこぼさないように、引き上げる必要があり、依然として煩雑な作業が要求される、という問題がある。
【０００７】
本発明はかかる課題に鑑みなされたもので、残渣を捕集することができ、捕集されたその残渣を簡単に作業性良く回収することができるグリーストラップ用残渣捕集装置を提供することを、その目的とする。
【課題を解決するための手段】
【０００８】
上記目的を達成するために、本発明の請求項１記載の発明は、厨房施設からの廃水が流入される流入口を有し、該廃水から残渣、油脂等を捕集するグリーストラップに取り付けられるグリーストラップ用残渣捕集装置において、
グリーストラップの流入口近傍に固定される固定ブラケットと、固定ブラケットに対して上下方向に摺動可能且つ着脱可能に係合する可動ブラケットと、を有し、可動ブラケットには前記流入口と連通可能となったパイプ部が設けられ、該パイプ部の先端口に捕集ネットを着脱可能に装着可能とし、可動ブラケットは、固定ブラケットに対する上方への摺動により固定ブラケットから離脱可能とすることを特徴とする。
【０００９】
請求項２記載の発明は、請求項１記載の可動ブラケットが固定ブラケットに対して最大に下方まで摺動した位置において、前記パイプ部が流入口と連通することを特徴とする。
【００１０】
請求項３記載の発明は、請求項１または２記載の可動ブラケットには、上方への力を作用可能な取手が設けられることを特徴とする。
【００１１】
請求項４記載の発明は、厨房施設からの廃水が流入される流入口を有し、該廃水から残渣、油脂等を捕集するグリーストラップにおいて、
グリーストラップの流入口近傍に固定されるスライド受部と、該スライド受部に対して上下方向に摺動可能且つ着脱可能に係合する可動ブラケットと、が設けられ、可動ブラケットには前記流入口と連通可能となったパイプ部が設けられ、該パイプ部の先端口に捕集ネットを着脱可能に装着可能とし、可動ブラケットは、固定ブラケットに対する上方への摺動により固定ブラケットから離脱可能とすることを特徴とする。
【発明の効果】
【００１２】
本発明によれば、可動ブラケットのパイプ部に捕集ネットを装着して、パイプ部を流入口と連通させることにより、流入口からグリーストラップに流入される残渣を捕集ネットに集めることができる。捕集ネット内に残渣が溜まり回収する時期になると、可動ブラケットを固定ブラケットまたはスライド受部に対して上方へと摺動させる。これにより、可動ブラケットは固定ブラケットまたはグリーストラップから離脱するので、可動ブラケットを捕集ネットと共にグリーストラップから取り外して、グリーストラップ外の作業しやすい位置にて、捕集ネットのパイプ部への着脱・交換作業を行なうことができる。こうして、簡単に残渣の捕集、回収を行なうことができるようになる。
【００１３】
請求項２記載の発明によれば、可動ブラケットを固定ブラケットに対して重力の力も利用して、最大に下方まで摺動させることで、パイプ部が流入口と連通するので、可動ブラケットの固定ブラケットに対する位置決めを簡単に行なうことができる。
【００１４】
請求項３記載の発明によれば、取手を持って上方への力を可動ブラケットに作用させることで、簡単に可動ブラケットをグリーストラップから引き上げることができる。
【発明を実施するための最良の形態】
【００１５】
以下、図面を用いて本発明の実施の形態を説明する。
【００１６】
図１は本発明の実施形態に係るグリーストラップ用残渣捕集装置が適用されるグリーストラップ１０を表す断面図である。かかるグリーストラップ１０は、タンク１２と、蓋１４とを主として有しており、タンク１２の一端部側には流入口１２ａと、他端部側には流出口１２ｂとが穿設されており、流入口１２ａには、厨房施設に連結された流入管１６が配置され、流出口１２ｂには、下水施設に連結された流出管１８が貫通される。
【００１７】
グリーストラップ１０の内部は、公知の任意の構成とすることができるが、図示した例では、タンク１２内が複数の仕切壁２２によって流入残渣捕集槽２４と、油脂捕集槽２６と、排水槽２８とに区画されており、この流入残渣捕集槽２４に、本発明の残渣捕集装置３０が設けられる。
【００１８】
残渣捕集装置３０は、図２及び図３に示すように、タンク１２に対して固定的に取り付けられる固定ブラケット３２と、固定ブラケット３２に対して上下方向に摺動可能且つ着脱可能となった可動ブラケット３４と、着脱金具３６と、を備えている。
【００１９】
固定ブラケット３２は、流入口１２ａを囲むようにして、タンク１２の一端側の壁面に固定具等によって一体的に取り付けられ、固定ブラケット３２には、流入口１２ａと連通する開口３２ａが穿設される。固定ブラケット３２には、さらに開口３２ａと並んで、可動ブラケット３４を摺動可能に受ける一対のスライド受部であるスライドポケット部３２ｂが設けられる。スライドポケット部３２ｂは、その上方が開口し、その下部が閉じている。
【００２０】
可動ブラケット３４は、スライドポケット部３２ｂに摺動可能に嵌め込まれるスライド板部３４ａと、スライド板部３４ａから水平方向に立設されて前記流入口１２ａ及び開口３２ａに連通するパイプ部３４ｂと、パイプ部３４ｂの外周面に取り付けられた取手部３４ｃと、を備える。取手部３４ｃは、パイプ部３４ｂの外周面から上方に伸びる枠形状をなしており、グリーストラップの上方から上方方向への力をかけやすい形状となっている。
【００２１】
固定ブラケット３２及び可動ブラケット３４は、ステンレス等の耐腐食性金属や合成樹脂等によって構成することができる。
【００２２】
着脱金具３６は、捕集ネット３８の開口を外側から押えるリング３６ａと該リング３６ａの一対の遊端を着脱可能に連結するためのロック３６ｂとを備える。着脱金具３６によってパイプ部３４ｂの端部外周面に捕集ネット３８の開口端が取り付けられる。パイプ部３４ｂの端部外周面には捕集ネット３８のすべりを防止するためのパッキン４０が装着されているとよい。
【００２３】
捕集ネット３８は、任意のネットを使用することができるが、好ましくは、油吸着素材からなるマット状の繊維が入ったものとするとよい。
【００２４】
以上のように構成される残渣捕集装置３０において、捕集ネット３８を取り付けるには、まず、可動ブラケット３４を、固定ブラケット３２から取り外した状態において、そのパイプ部３４ｂの端部外周面に捕集ネット３８を着脱金具３６によって取り付ける。次いで、可動ブラケット３４のスライド板部３４ａを、グリーストラップ１０の内部に固定されている固定ブラケット３２のスライドポケット部３２ｂ内に最大下方まで挿入する。すると、可動ブラケット３４のパイプ部３４ｂが流入口１２ａに連通するように位置決めされるので、捕集ネット３８の内部が流入管１６内に連通し、流入口１２ａから廃水と共に流入する残渣は、捕集ネット３８で捕集され、残渣以外は、捕集ネット３８を通過して次の槽へと流れていく。
【００２５】
残渣が捕集ネット３８に溜まって回収する必要が出ると、蓋１４をタンク１２から取り外して、取手部３４ｃを持って上方へと引き上げる。これにより、図４に示すように、可動ブラケット３４を捕集ネット３８と共に固定ブラケット３２に対して上方へと摺動させて、グリーストラップ１０から取り出すことができる。
【００２６】
こうして、グリーストラップ外部に取り出した状態において、可動ブラケット３４から着脱金具３６を外して捕集ネット３８を取り外す。そして、残渣ごと捕集ネット３８を処分し、新しい捕集ネット３８を着脱金具３６で可動ブラケット３４のパイプ部３４ｂに取り付けた後、再び可動ブラケット３４のスライド板部３４ａを上方からスライドポケット部３２ｂ内に挿入して、重力の力も借りて最大下方まで下降させることで、取付が終了する。
【００２７】
このように可動ブラケット３４を捕集ネット３８と共にグリーストラップから着脱することができ、その着脱動作は上下のスライド動作だけであるので簡単である。また、捕集ネット３８自体の着脱は、グリーストラップ外部で行うことができるので、屈み込んで作業を行う必要はなく、作業性が良い。可動ブラケット３４は固定ブラケット３２に対して、スライド板部３４ａが単にスライドポケット部３２ｂ内で挿入されるだけで位置決めされて固定されるために、その作業及び構成は非常に簡単である。
【００２８】
以上のグリーストラップ用残渣捕集装置３０は、既存のグリーストラップに後付で取り付けることも可能である。
【００２９】
または、グリーストラップに一体的に本発明の残渣捕集装置を設けることも可能である。この場合には、グリーストラップのタンク壁面に直接、または間接的に一体的にスライド受部を設けて、該スライド受部に、可動ブラケットを摺動可能且つ着脱可能に係合させるとよく、上述のグリーストラップ用残渣捕集装置３０を設けた場合と同様に作用させることができる。
【図面の簡単な説明】
【００３０】
【図１】本発明のグリーストラップ用残渣捕集装置が適用されるグリーストラップの実施形態を表す全体断面図である。
【図２】図１の部分拡大断面図である。
【図３】本発明のグリーストラップ用残渣捕集装置の斜視図である。
【図４】可動ブラケットを取り外す状態を表すグリーストラップ用残渣捕集装置の斜視図である。
【図５】従来のグリーストラップの全体断面図である。
【符号の説明】
【００３１】
１０  グリーストラップ
１２ａ  流入口
１２ｂ  流出口
３０  残渣捕集装置
３２  固定ブラケット
３２ｂ  スライドポケット部(スライド受部)
３４  可動ブラケット
３４ｂ  パイプ部
３４ｃ  取手部
３８  捕集ネット
【図１】
2007040030.tif 000003
【図２】
2007040030.tif 000004
【図３】
2007040030.tif 000005
【図４】
2007040030.tif 000006
【図５】
2007040030.tif 000007